(57)【特許請求の範囲】
【請求項１】
導体平板の一部分に所定の幅と長さのスリット部を形成して、導体平板を、スリット部を境にモノポールアンテナ形状の放射素子部とグランド部からなるコの字の形状に形成し、そのスリット部に、前記放射素子部とグランド部の一部からそれぞれ突出した形で、スリット部に沿って延びるＬ字型の導体線路を形成し、その２つの導体線路の開放端側の端部間に給電線路を接続してループ状のアンテナを形成したことを特徴とする平板多重アンテナ。
【請求項２】
導体平板の一部分に所定の幅と長さのスリット部を形成して、導体平板を、スリット部を境にモノポールアンテナ形状の放射素子部とグランド部からなるコの字の形状に形成し、そのスリット部に、前記放射素子部の一部からそれぞれ突出した形で、スリット部に沿って延びるＬ字型の導体線路を形成し、その導体線路の開放端側の端部と前記グランド部間に給電線路を接続してループ状のアンテナを形成したことを特徴とする平板多重アンテナ。
【請求項３】
導体平板の一部分に所定の幅と長さのスリット部を形成して、導体平板を、スリット部を境にモノポールアンテナ形状の放射素子部とグランド部からなるコの字の形状に形成し、そのスリット部に、前記グランド部の一部からそれぞれ突出した形で、スリット部に沿って延びるＬ字型の導体線路を形成し、前記放射素子部と導体線路の開放端側の端部間に給電線路を接続してループ状のアンテナを形成したことを特徴とする平板多重アンテナ。
【請求項４】
前記コの字の形状で構成される放射素子部とグランド部により機能するモノポールアンテナの周波数と、スリット部分に付加される単数もしくは複数の導体線路が放射部の一部として機能するループアンテナの周波数が異なっていることを特徴とする請求項１〜３いずれかに記載の平板多重アンテナ。
【請求項５】
所定の励振特性および所定の指向特性が得られるように前記コの字の形状で構成される放射素子部の長さと前記導体平板の長さが定められていることを特徴とする請求項１〜４いずれかに記載の平板多重アンテナ。
【請求項６】
前記コの字の形状で構成される放射素子部の長さは、モノポールアンテナの使用周波数の概ね１／４波長の奇数倍に設定されていることを特徴とする請求項１〜５いずれかに記載の平板多重アンテナ。
【請求項７】
前記ループ状のアンテナの形状の長さが、前記コの字の形状で構成されるモノポールアンテナが機能する使用周波数と異なる使用周波数における概ね波長の倍数になっていることを特徴とする請求項６に記載の平板多重アンテナ。
【請求項８】
前記導体平板は、絶縁性の土台上に形成された導体平面であることを特徴とする請求項１〜７いずれかに記載の平板多重アンテナ。
【請求項９】
給電線路は、単線もしくは複数本の撚り合せからなる内導体と該内導体の外周に位置する外導体を有する同軸線路からなる請求項１〜８いずれかに記載の平板多重アンテナ。
【請求項１０】
請求項１〜９いずれかに記載の平板多重アンテナをその内部に設置した電気機器。
【発明の詳細な説明】
【０００１】
【発明の属する技術分野】
本発明は、導体平板で構成され、且つ小型で薄型であり、携帯端末や電化製品等の電気機器あるいは壁等に内蔵することも容易な平板多重アンテナおよびそれを備えた電気機器に関する。
【０００２】
【従来の技術】
近年、基地局用や衛星放送用などの大型アンテナを除き、携帯電話やモバイルコンピュータなど（以下、一括して携帯端末と略す）をはじめとする専用の各種アンテナの小型化が盛んに行われている。特に小型化が求められる携帯端末用のアンテナは、その端末自身の小型化に伴い、設置用スペースの問題、さらにアンテナ体積の制約に反した性能の要求などの問題を抱えている。また、最近盛んに検討されている家庭内における無線ネットワーク構想においても、室内壁面へのアンテナの導入やパーソナルコンピュータや電化製品（以下、一括して電化製品と略す）などへのアンテナの導入に伴い、そのアンテナ自身の大きさにも同様な問題が起こっている。
【０００３】
上記の問題は、携帯端末や電化製品において、その筐体もしくは本体ケース（以下、一括して筐体と略す）内に専用のアンテナを内蔵する場合、新たに専用のスペースを確保しなければならないことが要因となる。さらに製品の小型化や軽量化が伴う場合、当然のことながらアンテナ自身の小体積化や軽量化も必要となり、これにより要求されるアンテナの性能を満たすことが困難になる。すなわち、アンテナを筐体に内蔵し、且つ性能を確保するためには、筐体内にそれなりの設置スペースの確保が必要になり、この結果これまで使用してきた各仕様の変更などで、製品の製造コストの向上や開発期間の長期化などが発生することになる。そのため、この問題を回避するため、その殆どが本体の筐体外部に別筐体などを使用し、且つ別途ケーブルなどを使用して取り付ける外付けアンテナが使用されている。しかしこの方法では、その携帯端末や電化製品を移動した際、外付けアンテナを一度取り外さなければならない場合が多々あり、さらに再設置や再調整などの手間も発生し、場合によってはケーブル等の引き回しや予期せぬトラブルでのアンテナ故障、さらにこれら携帯端末や電化製品の設置位置の自由度が制限されるなどの使用者には常に煩わしさが付きまとうことになる。
【０００４】
さらに最近、１台で異なる周波数で使用される複数の無線通信システムに対応する携帯端末の需要が多くなりつつある。これは、通信速度の高速化、情報の大容量化、サービスの充実化や差別化などを目的とした新規通信システムへの対応、そして携帯端末の多様化や既存通信システムから新たな通信システムへの移行期間への対応などに伴うものである。しかし、１台の携帯端末で使用する各周波数分の複数のアンテナを同時に使用することは、前述の問題点をより悪化させることになる。そのため、１つのアンテナで使用する複数の周波数を送受信できるようにすることが必要になってきている。
【０００５】
【発明が解決しようとする課題】
以上のことより、携帯端末や家庭内での無線ネットワーク用家電品に内蔵される各専用のアンテナは、製品の製造コストの向上や開発期間の長期化などを生じることなく安易に導入でき、さらに使用者の煩わしさを軽減することを達成するものでなくてはならない。さらに、アンテナ自身も低コストである必要もある。そして、携帯端末の多様化等への対応のため、複数の周波数を１つで送受信可能な多重アンテナを実現する必要もある。
【０００６】
本発明の目的は，小スペースで携帯端末や電化製品或いは壁等に内蔵でき、低コストで、且つ性能が確保され、さらに複数の周波数を送受信できる平板多重アンテナおよびそれを備えた電気機器を提供することにある。
【０００７】
【課題を解決するための手段】
上記課題を解決するために、本発明の平板多重アンテナは、導体平板の一部分に所定の幅と長さのスリット部を形成して、導体平板を、スリット部を境にモノポールアンテナ形状の放射素子部とグランド部からなるコの字の形状に形成し、そのスリット部に、前記放射素子部とグランド部の一部からそれぞれ突出した形で、スリット部に沿って延びるＬ字型の導体線路を形成し、その２つの導体線路の開放端側の端部間に給電線路を接続してループ状のアンテナを形成したものである。
【０００８】
また、本発明は、導体平板の一部分に所定の幅と長さのスリット部を形成して、導体平板を、スリット部を境にモノポールアンテナ形状の放射素子部とグランド部からなるコの字の形状に形成し、そのスリット部に、前記放射素子部の一部からそれぞれ突出した形で、スリット部に沿って延びるＬ字型の導体線路を形成し、その導体線路の開放端側の端部と前記グランド部間に給電線路を接続してループ状のアンテナを形成したものである。
【０００９】
さらに、本発明は、導体平板の一部分に所定の幅と長さのスリット部を形成して、導体平板を、スリット部を境にモノポールアンテナ形状の放射素子部とグランド部からなるコの字の形状に形成し、そのスリット部に、前記グランド部の一部からそれぞれ突出した形で、スリット部に沿って延びるＬ字型の導体線路を形成し、前記放射素子部と導体線路の開放端側の端部間に給電線路を接続してループ状のアンテナを形成したものである。
【００１０】
このように本発明は、２つの構造を１つのアンテナ内に複合して形成し、複数の周波数それぞれに対応しえる複数の放射部を設けるようにしている。
【００１１】
所定の励振特性および所定の指向特性が得られるように前記コの字形状で構成される放射素子部の長さと前記該導体平板の長さが定められている。
【００１２】
所定の励振特性および所定の指向特性が得られるように前記コの字形状で構成される放射素子部の長さと前記グランド部の幅に差を持たせることが好ましい。
【００１３】
所定の励振特性および所定の指向特性が得られるように前記削除部分に構成され、放射素子部もしくはコの字形状の給電線路となる単数のＬ字などの形状部の設置位置は、コの字形状との電気的な干渉やサイズに伴い定められている。
【００１４】
所定の励振特性および所定の指向特性が得られるように前記削除部分に構成され、放射素子部もしくはコの字形状の給電線路となる複数のＬ字などの形状部それぞれの設置位置は、コの字形状との電気的な干渉やサイズ、隣接する他のＬ字などの形状部との電気的な干渉やサイズに伴い定められている。
【００１５】
所定の励振特性および所定の指向特性が得られるように前記削除部分に構成され、放射素子部もしくはコの字形状の給電線路となる単数のＬ字などの形状部とコの字形状により構成される放射素子部もしくはグランド部との接続位置は、コの字形状との電気的な干渉やサイズに伴い定められている。
【００１６】
所定の励振特性および所定の指向特性が得られるように前記削除部分に構成され、放射素子部もしくはコの字形状の給電線路となる複数のＬ字などの形状部とコの字形状により構成される放射素子部もしくはグランド部とのそれぞれの接続位置は、コの字形状との電気的な干渉やサイズ、隣接する他のＬ字などの形状部との電気的な干渉やサイズに伴い定められている。
【００１７】
所定の励振特性および所定の指向特性が得られるように前記削除部分に構成され、放射素子部もしくはコの字形状の給電線路となる単数のＬ字などの形状部の長さは、コの字形状との電気的な干渉やサイズに伴い定められている。
【００１８】
所定の励振特性および所定の指向特性が得られるように前記削除部分に構成され、放射素子部もしくはコの字形状の給電線路となる複数のＬ字などの形状部それぞれの長さは、コの字形状との電気的な干渉やサイズ、隣接する他のＬ字などの形状部との電気的な干渉やサイズに伴い定められている。
【００１９】
所定の励振特性および所定の指向特性が得られるように前記削除部分に構成され、放射素子部もしくはコの字形状の給電線路となる単数のＬ字などの形状部の幅は、コの字形状との電気的な干渉やサイズに伴い定められている。
【００２０】
所定の励振特性および所定の指向特性が得られるように前記削除部分に構成され、放射素子部もしくはコの字形状の給電線路となる複数のＬ字などの形状部それぞれの幅は、コの字形状との電気的な干渉やサイズ、隣接する他のＬ字などの形状部との電気的な干渉やサイズに伴い定められている。
【００２１】
所定の励振特性および所定の指向特性が得られるように前記削除部分に構成され、放射素子部もしくはコの字形状の給電線路となる単数のＬ字などの形状部とコの字形状との間隔は、コの字形状との電気的な干渉やサイズに伴い定められている。
【００２２】
所定の励振特性および所定の指向特性が得られるように前記削除部分に構成され、放射素子部もしくはコの字形状の給電線路となる複数のＬ字などの形状部とコの字形状とのそれぞれの間隔は、コの字形状との電気的な干渉やサイズ、隣接する他のＬ字などの形状部との電気的な干渉やサイズに伴い定められている。
【００２３】
所定の励振特性および所定の指向特性が得られるように前記削除部分に構成され、放射素子部もしくはコの字形状の給電線路となる単数の導体線路の形状は、コの字形状との電気的な干渉やサイズに伴い定められている。
【００２４】
所定の励振特性および所定の指向特性が得られるように前記削除部分に構成され、放射素子部もしくはコの字形状の給電線路となる複数の導体線路それぞれの形状は、コの字形状との電気的な干渉やサイズ、隣接する他のＬ字などの形状部との電気的な干渉やサイズに伴い定められている。
【００２５】
上記構造に関する内容は、本発明の平板多重アンテナを使用周波数に適用する際、柔軟に適応され、所定の励振特性および所定の指向特性が得られるようにするものでもある。
【００２６】
ここで、使用周波数とは、本発明の平板多重アンテナをある筐体に内蔵した場合、その筐体内蔵位置で決定される単数もしくは複数の使用周波数であり、本発明の平板多重アンテナを壁等に敷設した場合、その敷設状況化で決定される単数もしくは複数の使用周波数である。
【００２７】
上記したコの字の形状と削除部分に構成される単数もしくは複数のＬ字などの形状は、以下に示す給電構造の変形から、常に同距離を成す平行でなくてもよい。
【００２８】
前記コの字の形状で構成された放射素子部の一部分と削除部分に構成される単数もしくは複数のＬ字などの形状とを接続し、前記コの字の形状で構成された放射素子部と一体的に形成されてなる該導体線路をコの字の形状で構成されたアンテナへの給電線路の一部分としてもよい。
【００２９】
前記コの字の形状で構成されたグランド部の一部分と削除部分に構成される単数もしくは複数のＬ字などの形状とを接続し、前記コの字形状で構成されたグランド部と一体的に形成されてなる該導体線路をコの字形状で構成されたアンテナへの給電線路の一部分としてもよい。
【００３０】
前記コの字形状で構成された放射素子部とグランド部で達成される、もしくは削除部分に構成される単数もしくは複数のＬ字型などの形状で構成された放射素子部で達成されるアンテナへ給電するために、別の給電線路が接触して電気的に接続するようにしてもよい。
【００３１】
基盤上に形成された配線パターンをアンテナへの給電線路とし、前記コの字形状で構成された放射素子部もしくはグランド部および削除部分に構成される単数もしくは複数のＬ字型などの形状で構成された導体線路、または削除部分に構成される単数もしくは複数のＬ字型などの形状で構成された導体線路に、該給電線路を電気的に接続するようにしてもよい。
【００３２】
単線もしくは複数本の撚り合せからなる内導体と該内導体の外周に位置する外導体を有する同軸線路をアンテナへの給電線路とし、前記コの字形状で構成された放射素子部もしくはグランド部および削除部分に構成される単数もしくは複数のＬ字型などの形状で構成された導体線路、または削除部分に構成される単数もしくは複数のＬ字型などの形状で構成された導体線路に、前記同軸線路の一方端における内導体と外導体をそれぞれ接続するようにしてもよい。
【００３３】
前記コの字形状で構成された放射素子部の一部分もしくはグランド部の一部分および削除部分に構成される単数もしくは複数のＬ字型などの形状で構成された導体線路、または削除部分に構成される単数もしくは複数のＬ字型などの形状で構成された導体線路とを、前記同軸線路の内導体と外導体とでそれぞれ接続する場合、通電性のあるはんだ材等による融着接続だけではなく、コネクタ等の使用による接続もその使用目的に合わせ選択できる。
【００３４】
コの字形状で構成された放射素子部と給電線路とを接続する放射素子部途中の位置は、インピーダンス整合を考慮して決定されるのが好ましい。また、グランド部と給電線路とを接続するグランド部途中の位置も、インピーダンス整合を考慮して決定されるのが好ましい。
【００３５】
削除部分に構成される単数もしくは複数のＬ字型などの形状で構成された導体線路と給電線路とを接続する位置は、インピーダンス整合を考慮して決定されるのが好ましい。また、グランド部と給電線路とを接続するグランド部途中の位置も、インピーダンス整合を考慮して決定されるのが好ましい。
【００３６】
削除部分に構成される単数もしくは複数のＬ字型などの形状で構成された導体線路と給電線路とを接続する場合の単数もしくは複数のＬ字型などの形状導体の長さや幅、それぞれの間隔は、インピーダンス整合を考慮して決定されるのが好ましい。また、グランド部と給電線路とを接続するグランド部途中の位置や単数もしくは複数のＬ字型などの導体線路との間隔も、インピーダンス整合を考慮して決定されるのが好ましい。
【００３７】
上記した平板多重アンテナは、電気機器の内部に設置して使用されるのが好ましい。
【００３８】
前記導体平板として、絶縁性の土台上に形成された導体平面を用いてもよい。
【００３９】
前記導体平面は、土台上にめっき材などを塗布するなどの加工方法により形成することができる。
【００４０】
本発明の平板多重アンテナは、携帯端末等の筐体内において、隙間程度のスペースでも設置が可能な小型、且つ薄型であり、さらに低コスト、そして内蔵した製品における水平面において、内蔵したアンテナの指向性が、無指向的に動作し得るという機能を有する。
【００４１】
また、本発明の平板多重アンテナによれば、他のアンテナを近傍に配置させる場合に、他のアンテナとの干渉を生じさせないように、他のアンテナと対向する側と対向しない側のバランスを変えて指向特性の制御が行えるため、アンテナ特性を大きく崩さずに他のアンテナとの設置間隔を狭くすることができる。
【００４２】
【発明の実施の形態】
以下、本発明の一実施の形態を添付図面に基づいて説明する。
【００４３】
本発明の平板多重アンテナにおいて、一例として２周波数に対して送受信を可能にする構造の特徴を、図１から図２を用いて説明する。
【００４４】
図１は、後述する導体線路部分を省いた説明図であり、本発明の平板多重アンテナを部分的に説明する図である。
【００４５】
本発明の平板多重アンテナは、図１のように幅ａ、長さｂの導体平板１に幅ｃで長さｄのスリット部２を形成し、このスリット部２を境にモノポールアンテナ形状の放射素子部３とアンテナのグランド部（幅ｇ）４をコの字に接続して形成している。このとき導体平板１の幅ａ（放射素子部３の長さ）は、１つの使用周波数における波長の概ね１／４の奇数倍としている。また、スリット部２の幅ｃ、放射素子部３の幅ｅ、そして放射素子部３とグランド部４を繋げる導体部の幅ｆは、要求されるアンテナ特性に従い、そのサイズが決定されるものである。次に、図２のようにコの字スリット部２内に長さｉと幅ｈで上記放射素子部３の一部と上記グランド部４の一部から突出した形で、スリット部４に沿って延びる２つのＬ字型の導体線路５を形成している。この構成によって、２つのアンテナの機能を有している。まず、１つ目のアンテナについて説明する。外部の給電線路との接続位置は、図３に示すように、２つの導体線路５のそれぞれの開放端側の端部であるが、２つの導体線路５は、図１の形状で構成されるアンテナの給電線路の役割を果たし、放射素子部３とグランド部４とのそれぞれの接続位置は、図１のコの字で形成されたアンテナのインピーダンス整合を考慮した位置となっている。次に、２つ目のアンテナについて説明すると、２つの導体線路５により構成される空間６の外周の長さは、図１のコの字で形成されたアンテナで使用する周波数とは異なる使用周波数における波長とほぼ同等とし、ループ状のアンテナを構成できるようにしている。なお、この空間６の外周の長さは、放射素子部３およびグランド部４と導体線路５との間隔によって、両者の間に強い電気的干渉が発生する場合、導体線路５の長さｉと幅ｈは、使用周波数で機能するように調整されるものである。そして導体線路５も要求されるアンテナ特性に従い、その各サイズが決定されるものである。なお、上記の使用周波数は、本発明の平板多重アンテナを製品筐体に内蔵した場合、筐体を構成する誘電体性の材料や他の導体部分の配置により決定される本発明の平板多重アンテナ設置位置での複数の使用周波数である。
【００４６】
上記具体例として、図３のように、２つの導体線路５それぞれの端で同軸線路７の内導体７１と、同軸線路７の外導体７２とを接続することで、次の２つのアンテナが形成される。まず、１つ目は、図４のハッチング表示部分を放射素子とするコの字で形成された１つの使用周波数で機能するアンテナを構成する。このとき、２つの導体線路５は、そのアンテナの給電線路となる。２つ目のアンテナは、さらにこの接続により、図５に示すように、２つの導体線路５で実現された空間６により、同時にもう１つの異なる使用周波数で機能するループ状のアンテナが構成される。なお、導体線路５と同軸線路７との接続は通電性のあるはんだ材等による融着接続、あるいは通電性を保持し得る形状の専用のコネクタやステイなどを用いてもよい。そして実施例にも示すように給電構造を変形することで、接触型や基板上設置型の給電方法も使用できる。
【００４７】
また、コの字で形成された構造は図６に示すように、スリット部２により構造上不連続部となる放射素子部３の長さ方向と略直角な方向に、放射素子部３とグランド部４を繋げる導体部の幅ｆの部分を通る長さが約ｂの放射部を成すもう１つのモノポールアンテナを電気的に構成するものである。すなわち、放射素子部３の一部とグランド部４の一部から突出させて導体線路５をそれぞれ形成したその突出位置を給電点とし、放射素子部３の長さａと導体平板１の長さｂのそれぞれに電気的な整合を決定できる構造になっている。そのため、放射素子部３の長さａに合わせ導体平板１の長さｂを調整することで、放射素子部３の長さ方向と略直角な方向に上記幅ｆの導体部を通る電気的整合の良好な、もう１つのモノポールアンテナを電気的に形成することができる。そしてこの電気的特性は、導体線路５により実現されるループ状のアンテナの電気的整合にも寄与する。
【００４８】
また、本発明の平板多重アンテナに使用した同軸線路の一方端を、本平板多重アンテナを内蔵する製品に別途設けられた給電回路もしくはその中継回路に接続し、給電線路としての機能を持たせることで、小型で、且つ薄型であり、さらに設置自由度の広い平板多重アンテナを実現できる。
【００４９】
また、給電線路として同軸線路を使用しているため、製品内部に配置された他の機器類に対し、この給電線路は邪魔にならないように本体内部で自由に引き回すことができる。さらにその長さに関しても制約が発生しない。
【００５０】
以上のことにより、携帯端末や家庭内での無線ネットワーク用家電品の製品筐体や各種部品の設置位置などの仕様に関し、大きな変更を必要とせず、さらに筐体内の隙間程度のスペースでも内蔵でき、低コストで、且つ性能が確保されている多重アンテナを実現できる。
【００５１】
また、上記平板多重アンテナを携帯端末や家庭内での無線ネットワーク用家電品の内部に設置すれば、これら製品の移動などの際、外付けアンテナの取り外し、再設置や再調整、そしてケーブル等の引き回しや予期せぬトラブルでのアンテナ故障などの使用者に常に付きまとっていた煩わしさを解消し、さらに本発明の良質な特性から、製品設置位置に関して選択の自由度をより広くできる効果も実現できる。
【００５２】
【実施例】
以下、本発明の実施例を各図により説明する。
（実施例１）
本発明の第１実施例を図７〜図８により説明する。図７は、コの字形状の放射素子部３の途中からL字の導体線路５を１つ設置し、該導体線路５の先端と同軸線路７の内導体７１とを接続し、さらにコの字形状のグランド部４の一部分と同軸線路７の外導体７２とを接続することで給電を行った場合の本発明の平板多重アンテナ８１の構造を示している。なお、該同軸線路５と該放射素子部３との接続位置は、コの字形状で実現されるアンテナ構造のインピーダンス整合を考慮した位置としている。このとき図８のように、（ａ）の該放射素子部３で１つの使用周波数で機能するアンテナ構造と、（ｂ）の該導体線路５と該放射素子部３と該グランド部４の一部分等でループ状の放射素子部を構成し、他の使用周波数で機能するもう１つのアンテナ構造が同時に実現されており、２つの使用周波数で使用可能な平板多重アンテナ８１を実現している。
（実施例２）
本発明の第２実施例を図９〜図１０により説明する。図９は、コの字形状のグランド部４の一部分からL字の導体線路５を１つ設置し、コの字形状の放射素子部３の一部分と同軸線路７の内導体７１とを接続し、さらに該導体線路５の先端と同軸線路７の外導体７２とを接続することで給電を行った場合の本発明の平板多重アンテナ８２の構造を示している。なお、該同軸線路５と該グランド部４との接続位置と該放射素子部３と該同軸線路７の内導体７１との接続位置それぞれは、コの字形状で実現されるアンテナ構造のインピーダンス整合を考慮した位置としている。このとき図１０のように、（ａ）の該放射素子部３で１つの使用周波数で機能するアンテナ構造と、（ｂ）の該導体線路５と該放射素子部３と該グランド部４の一部分等でループ状の放射素子を構成し、他の使用周波数で機能するもう１つのアンテナ構造が同時に実現されており、２つの使用周波数で使用可能な平板多重アンテナ８２を実現している。
（実施例３）
本発明の第３実施例を図１１〜図１２により説明する。図１１は、コの字形状の放射素子部３の一部分とグランド部４の一部分それぞれからＬ字の導体線路５を１つずつ設置した場合の本発明の平板多重アンテナ８において、２つの該導体線路５のそれぞれの長さが同じ場合と異なる場合を示している。なお、該導体線路５と該放射素子部もしくは該グランド部４とのそれぞれの接続位置は、それぞれの該導体線路５先端に同軸線路等で給電が行われた際に、コの字形状で実現されるアンテナ構造のインピーダンス整合を考慮した位置としている。これら構造は、本発明の平板多重アンテナ８を使用する際に、各種給電構造に対応するものである。さらに、コの字形状による該放射素子部３と該グランド部４との電気的な干渉などを考慮した場合に、意図的に実施される構造でもある。なおこれら構造においても、上記実施例１および２と同じく２つの使用周波数で使用可能な平板多重アンテナ８が実現される。
【００５３】
図１２は、図１１と異なり、コの字形状による該放射素子部３を該導体線路５よりも短くした場合の構造である。この構造も図１１と同様な効果と目的を有し、且つ２つの使用周波数で使用可能な平板多重アンテナ８が実現される。
【００５４】
以上の図１１〜図１２の構造は、所定の励振特性および所定の指向特性が各使用周波数で得られるように、コの字形状による該放射素子部３と該導体線路５の長さの組み合わせを変更できることを可能にした本発明の平板多重アンテナ８の特徴でもある。
（実施例４）
本発明の第４実施例を図１３により説明する。図１３は、コの字形状の放射素子部３の一部分からＬ字の導体線路５を設置した場合の本発明の平板多重アンテナ８１において、該放射素子部３と該導体線路５のそれぞれの長さが異なる場合を示している。なお、該導体線路５と該放射素子部とのそれぞれの接続位置は、図７、図９のように同軸線路等で給電が行われた際に、コの字形状で実現されるアンテナ構造のインピーダンス整合を考慮した位置としている。これら構造は、本発明の平板多重アンテナ８１を使用する際に、各種給電構造に対応するものである。さらに、コの字形状による該放射素子部３と該グランド部４との電気的な干渉などを考慮した場合に、意図的に実施される構造でもある。なおこれら構造においても、上記各実施例同様２つの使用周波数で使用可能な平板多重アンテナ８１が実現される。
【００５５】
なお、図示していないが、コの字形状のグランド部４の一部分からＬ字の導体線路５を設置した場合でも、図１３と同様な効果と目的を有し、且つ２つの使用周波数で使用可能な平板多重アンテナが実現される。
【００５６】
以上は、所定の励振特性および所定の指向特性が各使用周波数で得られるように、コの字形状による該放射素子部３と該導体線路の長さの組み合わせを変更できることを可能にした本発明の平板多重アンテナ８１の特徴でもある。
（実施例５）
本発明の第５実施例を図１４〜図１５により説明する。図１４は実施例３の本発明の平板多重アンテナ８、図１５は実施例４の本発明の平板多重アンテナ８１に、それぞれ同軸線路７を接続した場合の各種例を示している。本発明の平板多重アンテナ８、８１は、同軸線路７の配置方向に柔軟に対応し得る。
なお、本発明の平板多重アンテナにおける給電構造の構成は、同軸線路等を通電性のあるはんだ材等による融着接続で実施するだけではなく、コネクタ等の使用による接続もその使用目的に合わせ選択できる。
（実施例６）
本発明の第６実施例を図１６〜図１７により説明する。各図は、実施例３で示した本発明の平板多重アンテナ８を、一般的なノート型パーソナルコンピュータ９（以下、ノート型パソコンと略す）のＬＣＤ１０上にその平板多重アンテナ８を２つ配置した場合の外観を示している。図１６は、ノート型パソコン９の左右対称な位置に平板多重アンテナ８を配置した例で、図１７は、ノート型パソコン９の左側の位置に平板多重アンテナ８を２つ配置した例である。平板多重アンテナ８のコの字形状の部分をＬＣＤ１０上に出し、コの字形状によるグランド部４の大半をＬＣＤ１０の背面に隠すように、ノート型パソコン９のＬＣＤ１０背面側の筐体との隙間に置いている。このとき平板多重アンテナ８の固定は、ノート型パソコン９の筐体に直接セロハンテープや両面テープのような接着材付きテープもしくは接着材、あるいは専用の固定用具で行っている。さらに給電に使用する同軸線路は、この隙間でも自由に動かせる細径のものを使用し、本発明の平板多重アンテナ８同様にＬＣＤ１０の背面とノート型パソコン９のＬＣＤ１０背面側の筐体との隙間を通している。なお、このとき、本発明の平板多重アンテナ８の各部のサイズは、ノート型パソコン９の筐体等に使用されている各種材料の誘電率やＬＣＤ１０などに使用されている導体部品の影響を加味し、実際に内蔵した際の２つの使用周波数に合わせ、且つ良好な励振特性が得られるように決定されている。
（実施例７）
本発明の第７実施例を図１８により説明する。図１８は、図３に示した本発明の平板多重アンテナ８の給電構造を変形させ、平面的な土台１１上に構成した本発明の平板多重アンテナ８３を示している。平板多重アンテナ８３は、土台１１上にめっき材などを塗布するなどの加工法により形成することができる。土台１１は、平板多重アンテナ８３のコの字形状の放射素子部３とグランド部４から、コの字形状で機能するアンテナのインピーダンス整合を考慮したそれぞれの位置で接続された２つの導体線路５の隙間部分を空洞にし、２つの該導体線路５から新たな２つの導体線路１２、１３を土台１１の下方に向けて延ばし、土台の下から給電できる構造としている。この構造は、携帯電話への内蔵やある特定な場所への固定を可能とした構造である。なお土台１１は、絶縁性からなり、平板多重アンテナ８３に求められるサイズの小型化等に伴い、その材料（誘電率）を選択することが好ましい。また、基盤上に形成された配線パターン（図示せず）を平板多重アンテナ８３への給電線路とし、基板上に土台１１を搭載することによって、配線パターンと上記導体線路１２、１３をそれぞれ接続するようにしてもよい。
【００５７】
上記した本発明の実施例１〜７の平板多重アンテナによれば、従来技術による携帯端末や家庭内における無線ネットワーク用機器（電化製品）で使用される本体の筐体外部に別筐体などを使用し、且つ別途ケーブルなどを使用して取り付ける外付けアンテナに代わり、移動の際に生ずるアンテナ取り外しや再設置、再調整などの手間を無くし、且つアンテナ自身の破損を防ぐことができ、さらに携帯端末や電化製品の設置位置の自由度を広げ、さらに製品の製造コストの向上や開発期間の長期化などの原因となる筐体や各種部品の設置位置等の仕様を大きく変更させることなく、さらに筐体内の隙間程度のスペースでも内蔵でき、低コストで、且つ性能が確保され、さらに単体で複数の周波数を送受信できるアンテナを提供することが可能になる。
【００５８】
【発明の効果】
本発明によれば、次のように優れた効果を発揮する。
【００５９】
小スペースで携帯端末や電化製品或いは壁等に内蔵でき、低コストで、且つ性能が確保され、さらに単体で複数の周波数を送受信できる平板多重アンテナおよびそれを備えた電気機器を提供することができる。
【図面の簡単な説明】
【図１】本発明の平板多重アンテナを構成するための導体平板の一部分説明図。
【図２】本発明の平板多重アンテナを構成するための導体平板の構造図。
【図３】本発明の平板多重アンテナの構造図。
【図４】本発明の平板多重アンテナの１つ目の周波数に対する共振部を示す図。
【図５】本発明の平板多重アンテナの２つ目の周波数に対する共振部を示す図。
【図６】本発明の平板多重アンテナの１つ目の周波数に対する共振部の電気的構造図。
【図７】本発明の実施例１に係わる平板多重アンテナの構造図。
【図８】本発明の実施例１に係わる平板多重アンテナのそれぞれの周波数に対する共振部を示す図。
【図９】本発明の実施例２に係わる平板多重アンテナの構造図。
【図１０】本発明の実施例２に係わる平板多重アンテナのそれぞれの周波数に対する共振部を示す図。
【図１１】本発明の実施例３に係わる平板多重アンテナの構造図。
【図１２】本発明の実施例３に係わる平板多重アンテナの構造図。
【図１３】本発明の実施例４に係わる平板多重アンテナの構造図。
【図１４】本発明の実施例５に係わる平板多重アンテナの同軸線路接続例を示す図。
【図１５】本発明の実施例５に係わる平板多重アンテナの同軸線路接続例を示す図。
【図１６】本発明の実施例６に係わる平板多重アンテナを内蔵した一般的なノート型パーソナルコンピュータ内部の概観図。
【図１７】本発明の実施例６に係わる平板多重アンテナを内蔵した一般的なノート型パーソナルコンピュータ内部の概観図。
【図１８】本発明の実施例７に係わる平板多重アンテナの斜視図。
【符号の説明】
１  導体平板
２  スリット部
３  放射素子部
４  グランド部
５  導体線路
６  空間
７  同軸線路
７１  同軸線路の内導体
７２  同軸線路の外導体
８、８１〜８３  平板多重アンテナ
９  ノート型パソコン
１０  ＬＣＤ（液晶ディスプレイ）
１１  土台
１２、１３  導体線路
【図１】
0003552693.tif 000002
【図２】
0003552693.tif 000003
【図３】
0003552693.tif 000004
【図４】
0003552693.tif 000005
【図５】
0003552693.tif 000006
【図６】
0003552693.tif 000007
【図７】
0003552693.tif 000008
【図８】
0003552693.tif 000009
【図９】
0003552693.tif 000010
【図１０】
0003552693.tif 000011
【図１１】
0003552693.tif 000012
【図１２】
0003552693.tif 000013
【図１３】
0003552693.tif 000014
【図１４】
0003552693.tif 000015
【図１５】
0003552693.tif 000016
【図１６】
0003552693.tif 000017
【図１７】
0003552693.tif 000018
【図１８】
0003552693.tif 000019